(57)【要約】【課題】外部部材が内層シートと外層シートとの積層構造をとり、内層シートと外層シートのうち少なくとも一つが凹凸パターンを有するプリーツシートであることにより、着用者への密着性が高まり、違和感のない、クッション性に優れる使い捨ておむつ、この外部部材を使用したシート部材および、内層プリーツシートおよび外層プリーツシートの製造方法を提供すること。【解決手段】シャーシーに、シャーシーは、内層シートと、外層シートとを弾性部材を介して積層した外部部材からなり、内層シートおよび外層シートのうち少なくとも一つは凹凸パターンが形成されているプリーツシートである外部部材を使用することにより、クッション性に優れる使い捨ておむつを提供できる。【選択図】図１
2008029836.tif 000002
【特許請求の範囲】
【請求項１】
前身頃と後身頃とからなり、胴周り開口部と、股下部に左右一対の脚周り開口部と、を有するシャーシーと、
該シャーシーの少なくとも一部に配設される液透過性トップシートと、
該液透過性トップシートの厚さ方向における一方側に配設される液不透過性バックシートと、
前記液透過性トップシートと前記液不透過性バックシートとの間に配設される液保持性の吸収体と、を備える使い捨ておむつであって、
前記シャーシーのうち、前記胴周り開口部と前記脚周り開口部との間に渡っては、内層シートと、外層シートと、前記内層シートと前記外層シートとの間に配置される１または複数の糸状または帯状の弾性部材と、を備えた外部部材からなり、
前記内層シートおよび前記外層シートのうち少なくとも一つは、前記胴周り開口部と平行方向に凹凸パターンが連続的に形成されており、前記弾性部材は、前記凹凸パターンが形成されている方向に沿うように配置していることを特徴とする使い捨ておむつ。
【請求項２】
前記外部部材は、伸張した状態の弾性部材を介して前記内層シートおよび前記外層シートを積層させる請求項１に記載の使い捨ておむつ。
【請求項３】
前記外部部材において、前記弾性部材が収縮すると前記凹凸パターンに沿うように多数の襞が形成する請求項１または２に記載の使い捨ておむつ。
【請求項４】
前記襞の高さは、１〜６ｍｍである請求項３に記載の使い捨ておむつ。
【請求項５】
前記内層シートおよび前記外層シートの凹凸パターンの凸部の高さは、０．５〜５ｍｍである請求項１から４のいずれかに記載の使い捨ておむつ。
【請求項６】
前記内層シートおよび前記外層シートは、前記凹凸パターンが形成されている少なくとも一つの賦形領域と、平面パターンが形成されている少なくとも一つの溝領域とを有する請求項１から５のいずれかに記載の使い捨ておむつ。
【請求項７】
前記賦形領域の幅は、２ｍｍ〜１０ｃｍであり、前記溝領域の幅は、０．５ｍｍ〜３ｃｍである請求項６に記載の使い捨ておむつ。
【請求項８】
前記弾性部材に接着剤を塗布し、前記溝領域と接合させることによって積層させる請求項１から７のいずれかに記載の使い捨ておむつ。
【請求項９】
前記外部部材は、端部溝領域を有しており、前記端部溝領域を介して接合されている請求項１から８のいずれかに記載の使い捨ておむつ。
【請求項１０】
前記内層シートおよび前記外層シートの坪量は、５〜５０ｇ／ｍ２である請求項１から９のいずれかに記載の使い捨ておむつ。
【請求項１１】
前記内層シートおよび前記外層シートの凸部の高さが同一である請求項１から１０のいずれかに記載の使い捨ておむつ。
【請求項１２】
前記内層シートおよび前記外層シートの凸部の高さが異なる請求項１から１０のいずれかに記載の使い捨ておむつ。
【請求項１３】
前記内層シートおよび前記外層シートの凸部間の間隔が同一である請求項１から１２のいずれかに記載の使い捨ておむつ。
【請求項１４】
前記内層シートおよび前記外層シートの凸部間の間隔が異なる請求項１から１２のいずれかに記載の使い捨ておむつ。
【請求項１５】
第一のシートと、第二のシートと、前記第一のシートと前記第二のシートとの間に配置される１または複数の糸状または帯状の弾性部材と、を備え、少なくとも前記第一のシートは、長手方向に沿って凹凸状に形成されているシート部材であって、
前記第一のシートには、複数の凸部と、複数の凹部とが長手方向に交互に連続的に形成されており、
前記弾性部材は、前記長手方向に沿うように配置され、
前記複数の凹部は、伸張した状態の前記弾性部材に接合されていることを特徴とするシート部材。
【請求項１６】
前記弾性部材が収縮すると多数の襞が形成される請求項１６に記載のシート部材。
【請求項１７】
シートを、少なくとも一つの歯付領域と、少なくとも一つの溝付領域とを有する一対の賦形ロール間に圧搾することにより、長手方向に沿って凹凸状に形成されるプリーツシートを製造することを特徴とするプリーツシートの製造方法。
【請求項１８】
前記溝付領域は、断熱材で覆われている請求項１７に記載のプリーツシートの製造方法。
【発明の詳細な説明】
【技術分野】
【０００１】
本発明は、使い捨ておむつ、シート部材およびプリーツシートの製造方法に関する。特に、シャーシーが凹凸パターンを有する内層シートと凹凸パターンを有する外層シートとの積層構造をとる外部部材を使用した使い捨ておむつ、この外部部材を使用したシート部材および、内層プリーツシートおよび外層プリーツシートの製造方法に関する。
【背景技術】
【０００２】
従来より、使い捨て吸収性物品として、例えば、使い捨ておむつ等がある。使い捨ておむつは、幼児および子供用から高齢者や身障者等まで広く使用されており、再利用可能な布製吸収性物品と取って替わるようになってきた。典型的な使い捨ておむつは、一般的には、トップシートと、バックシートおよびトップシートとバックシートとの間の吸収体とを含む複合構造からなる。また、着用者への密着性およびクッション性を高めるために、二種類の非伸縮性のシート部材を糸状、ネット状、帯状、シート状等の伸張状態の弾性部材を介して貼接し、非伸縮性のシート部材に伸縮性を付与する伸縮複合シートが用いられている。
【０００３】
伸縮複合シート中の弾性部材が収縮状態の場合、各シート部材が大きな襞を形成し、その襞によりクッション性を得ることができる。しかし、着用者が使い捨ておむつを装着する場合、通常弾性部材は伸張しているため剛性が高くなり、着用者の肌への密着性が悪く、当接触感が硬くなり肌触りが悪い。すなわち、クッション性を得ることができない。
【０００４】
近年、襞が皮膚を刺激しつづけると、触刺激として身体に影響を与え、不快感だけでなく内分泌機能や自律神経失調症の原因となったり、知能の発達にまで影響を与えることが報告されており、肌触りがよく、クッション性に優れた使い捨ておむつを提供することが急務となってきている。
【０００５】
このため、例えば、特許文献１では、使い捨てパンツのボディフィット部に、ボディ用弾性糸が１〜５ｍｍ間隔で表側外装部材と裏側外装部材の間に挟まれて周方向に配置されており、ボディフィット部の全域にピッチが約３ｍｍ以下の細かな縦方向縦長ギャザーが形成されている使い捨ておむつを提供している。
【特許文献１】特開２００２−２３８９３４号公報
【発明の開示】
【発明が解決しようとする課題】
【０００６】
しかし、胴周り伸縮部に弾性糸を１〜５ｍｍ間隔で表側外装部材と裏側外装部材との間に挟むように周方向に配置されているため、弾性部材や接着剤の単位あたりの重量が高くなる。そのため、大きく深い畝がなくなるのでごわつき感が解消されても、剛性が高く、肌への接触感覚が悪いといった場合がある。
【０００７】
本発明は、以上に鑑みてなされたものであり、着用者が、違和感なくクッション性を感じて使用することができる使い捨ておむつ、クッション性を感じて使用することができるシート部材、およびこのシート部材の構成シートであるプリーツシートの製造方法を提供することを課題とする。
【課題を解決するための手段】
【０００８】
本発明者らは、上記課題を解決するために鋭意検討を重ねた。その結果、プリーツシートを積層させた外部部材を使い捨ておむつのシャーシーに使用することにより、着用者への密着性が高まり、違和感のない、クッション性に優れることを見出し、本発明を完成するに至った。より具体的には、本発明は以下のようなものを提供する。
【０００９】
（１）前身頃と後身頃とからなり、胴周り開口部と、股下部に左右一対の脚周り開口部と、を有するシャーシーと、該シャーシーの少なくとも一部に配設される液透過性トップシートと、該液透過性トップシートの厚さ方向における一方側に配設される液不透過性バックシートと、前記液透過性トップシートと前記液不透過性バックシートとの間に配設される液保持性の吸収体と、を備える使い捨ておむつであって、前記シャーシーのうち、前記胴周り開口部と前記脚周り開口部との間に渡っては、内層シートと、外層シートと、前記内層シートと前記外層シートとの間に配置される１または複数の糸状または帯状の弾性部材と、を備えた外部部材からなり、前記内層シートおよび前記外層シートのうち少なくとも一つは、前記胴周り開口部と平行方向に凹凸パターンが連続的に形成されており、前記弾性部材は、前記凹凸パターンが形成されている方向に沿うように配置していることを特徴とする使い捨ておむつ。
【００１０】
（２）前記外部部材は、伸張した状態の弾性部材を介して前記内層シートおよび前記外層シートを積層させる（１）に記載の使い捨ておむつ。
【００１１】
（３）前記外部部材において、前記弾性部材が収縮すると前記凹凸パターンに沿うように多数の襞が形成する（１）または（２）に記載の使い捨ておむつ。
【００１２】
（４）前記襞の高さは、１〜６ｍｍである（３）に記載の使い捨ておむつ。
【００１３】
（５）前記内層シートおよび前記外層シートの凹凸パターンの凸部の高さは、０．５〜５ｍｍである（１）から（４）のいずれかに記載の使い捨ておむつ。
【００１４】
（６）前記内層シートおよび前記外層シートは、前記凹凸パターンが形成されている少なくとも一つの賦形領域と、平面パターンが形成されている少なくとも一つの溝領域とを有する（１）から（５）のいずれかに記載の使い捨ておむつ。
【００１５】
（７）前記賦形領域の幅は、２ｍｍ〜１０ｃｍであり、前記溝領域の幅は、０．５ｍｍ〜３ｃｍである（１）から（６）のいずれかに記載の使い捨ておむつ。
【００１６】
（８）前記弾性部材に接着剤を塗布し、前記溝領域と接合させることによって積層させる（１）から（７）のいずれかに記載の使い捨ておむつ。
【００１７】
（９）前記外部部材は、端部溝領域を有しており、前記端部溝領域を介して接合されている（１）から（８）のいずれかに記載の使い捨ておむつ。
【００１８】
（１０）前記内層シートおよび前記外層シートの坪量は、５〜５０ｇ／ｍ２である（１）から（９）のいずれかに記載の使い捨ておむつ。
【００１９】
（１１）前記内層シートおよび前記外層シートの凸部の高さが同一である（１）から（１０）のいずれかに記載の使い捨ておむつ。
【００２０】
（１２）前記内層シートおよび前記外層シートの凸部の高さが異なる（１）から（１０）のいずれかに記載の使い捨ておむつ。
【００２１】
（１３）前記内層シートおよび前記外層シートの凸部間の間隔が同一である（１）から（１２）のいずれかに記載の使い捨ておむつ。
【００２２】
（１４）前記内層シートおよび前記外層シートの凸部間の間隔が異なる（１）から（１２）のいずれかに記載の使い捨ておむつ。
【００２３】
（１５）第一のシートと、第二のシートと、前記第一のシートと前記第二のシートとの間に配置される１または複数の糸状または帯状の弾性部材と、を備え、少なくとも前記第一のシートは、長手方向に沿って凹凸状に形成されているシート部材であって、前記第一のシートには、複数の凸部と、複数の凹部とが長手方向に交互に連続的に形成されており、前記弾性部材は、前記長手方向に沿うように配置され、前記複数の凹部は、伸張した状態の前記弾性部材に接合されていることを特徴とするシート部材。
【００２４】
（１６）前記弾性部材が収縮すると多数の襞が形成される（１６）に記載のシート部材。
【００２５】
（１７）シートを、少なくとも一つの歯付領域と、少なくとも一つの溝付領域とを有する一対の賦形ロール間に圧搾することにより、長手方向に沿って凹凸状に形成されるプリーツシートを製造することを特徴とするプリーツシートの製造方法。
【００２６】
（１８）前記溝付領域は、断熱材で覆われている（１７）に記載のプリーツシートの製造方法。
【発明の効果】
【００２７】
本実施形態によれば、着用者が、違和感なくクッション性を感じて使用することができる使い捨ておむつ、クッション性を感じて使用することができるシート部材を提供することできるようになった。
【発明を実施するための最良の形態】
【００２８】
本発明の使い捨ておむつにおいて、シャーシーは、内層シートと外層シートのうち少なくとも一つは凹凸パターンが形成されている内層プリーツシートおよび外層プリーツシートを、弾性部材を介して積層させた外部部材を使用し、積層する際に弾性部材を伸張させた状態で各プリーツシートを貼付させたことを特徴とする。以下、本発明の使い捨ておむつ、シート部材およびプリーツシートの製造方法の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略するが、発明の趣旨を限定するものではない。また、説明の便宜上、内層シートおよび外層シートが、凹凸パターンが形成されている内層プリーツシートおよび外層プリーツシートの場合について詳細に説明するが、本発明の実施形態に何ら限定されるものではない。
【００２９】
以下の実施形態において、使い捨ておむつのうち着用者の身体に向けられる側を肌当接面側とし、肌当接面側と反対側を非肌当接面側とする。
【００３０】
［使い捨ておむつ］
図１は、本発明の使い捨ておむつの正面図である。図１（Ａ）に示すように、使い捨ておむつ本体は、使い捨ておむつ本体の外形を形成し、装着時においてパンツ型に形成される前身頃５１と後身頃５２とからなるシャーシー５と、シャーシー５の肌当接面側に設けられ、表面層を構成する略縦長に形成された液透過性トップシート１と、液透過性トップシート１の一方側であるシャーシー５の非肌当接面側に設けられ、裏面層を構成する略縦長に形成された液不透過性バックシート２と、液透過性トップシート１と液不透過性バックシート２との間である液透過性トップシート１とシャーシー５との間に配置され、吸収層を構成する略縦長に形成された液保持性の吸収体３と、を有する。ここで、略縦長とは、長手方向と短手方向を有する略矩形のものを含むものとし、また、長手方向の両辺の一部が長手方向における中心方向に窪んだもの、もしくは、中心方向と反対方向に隆起したものを含むものとする。つまり、吸収体３は、吸収体３の長手方向の一部に幅方向における長さが異なるものを含むものとする。また、吸収体３は、幅方向に縦長になるように配置されてもよく、上下方向に縦長になるように配置されてもよい。
【００３１】
吸収体３は、ティッシュ（図示せず）や親水性不織布（図示せず）に包まれた状態で配置されるようにしてもよい。また、親水性不織布に包まれている場合、液透過性トップシート１を用いない構成や液透過性トップシート１を部分的にのみ使用する構成としてもよい。これにより、例えば、生産コストの減少を図ることが可能になる。さらに、液不透過性バックシート２は、この液不透過性バックシート２の非肌当接面側に不織布等を接合させたものを使用してもよい。液不透過性バックシート２の非肌当接面側に不織布等を接合させることにより、着用者の装着時等における肌触りが向上するため好ましい。また、液不透過性バックシート２にフィルムを使用した場合には、フィルムに不織布等を接合させることにより、例えば、フィルムの擦れから生じる不快な音の発生を防止できるため好ましい。
【００３２】
シャーシー５は、着用時における前身頃５１と、後身頃５２と、前身頃５１および後身頃５２の間に形成される股下部５３と、を有する。シャーシー５は、前身頃５１と後身頃５２との所定の位置である接合部６において、前身頃５１と後身頃５２とを接合することによりパンツ形状に形成されている。すなわち、着用状態において着用者の腹部周りに位置する胴周り開口部７と、着用者の両足のそれぞれに位置する一対の脚周り開口部８と、を有する。ここで、前身頃５１と後身頃５２との所定の位置とは、着用状態における上下方向と直行する方向（以下、幅方向という。）における前身頃５１および後身頃５２の両端側のうち、脚周り開口部８を除いた部分をいう。また、前身頃５１と後身頃５２とは、例えば、使い捨ておむつ本体の長手方向を二分する幅方向中心線で区別されるものも含む。
【００３３】
図１（Ｂ）は、前身頃５１の部分拡大図である。前身頃５１は、内層プリーツシート４１と外層プリーツシート４２とを複数の弾性部材９を介して積層（接合）された外部部材４からなり、外部部材４は、胴周り開口部７と一対の脚周り開口部８との間に渡って配置されている。弾性部材９を伸張させた状態で内層プリーツシート４１および外層プリーツシート４２を積層させ、弾性部材９を収縮させると、襞１１が複数形成される。なお、図示していないが、後身頃５２も内層プリーツシート４１および外層プリーツシート４２を積層させているため、前身頃５１と同様に襞１１が複数形成されている。内層プリーツシート４１および外層プリーツシート４２の凹凸パターンと襞１１は、縦方向へ略直交して延びると共に、縦方向へ略直状に延びている。内層プリーツシート４１および外層プリーツシート４２の凹凸パターンと襞１１は、胴周り方向へ略等間隔で並んでいる。また、内層プリーツシート４１および外層プリーツシート４２の凹凸パターンは、胴周り開口部７と平行方向に凸部と凹部が交互に連続的に形成されている。
【００３４】
なお、本実施形態においては、図２に示すように、前身頃５１と後身頃５２とが所定の接合部６において接合されることにより胴周り開口部７および一対の脚周り開口部８を有するパンツ型に形成される使い捨ておむつについて説明するが、本発明においてはこれに限定されない。例えば、図１（Ｂ）に示すような前身頃５１と後身頃５２とを係止部材等で係止させることにより着用可能な展開型の使い捨ておむつ１Ａに用いてもよい。また、例えば、パンツ型に形成された使い捨ておむつの前身頃５１および後身頃５２の所定の接合部６において展開型の使い捨ておむつに用いられるような再係止が可能な面ファスナー等の係止部材により係止され、パンツ型の使い捨ておむつでありながら容易に当該おむつの係止を解除し、パンツ型の使い捨ておむつを展開および再係止させることが可能な使い捨ておむつに用いてもよい。
【００３５】
さらに、本発明においては、弾性部材９と防漏シートを用いて形成される防漏壁、いわゆるレッグギャザー（図示せず）を使い捨ておむつの吸収体３の幅方向の両端に沿って配置してもよい。具体的には、吸収体３と、シャーシー５もしくは液不透過性バックシート２との間から吸収体３の幅方向に延出するように防漏シートを設け、その防漏シートの幅方向端部に少なくとも１本以上の弾性部材９を配置し、ホットメルト接着剤等により固定してもよい。防漏シートは、吸収体３の幅方向に延出したままの状態であってもよく、吸収体３の幅方向における中心方向に折り返すことにより、その折り返し部が吸収体３の肌当接面側に配置されるようにしてもよい。
【００３６】
使い捨ておむつ本体は、図１（Ａ）および図２に示すように、前身頃５１と後身頃５２が所定の接合部６において接合されることにより、胴周り開口部７および一対の脚周り開口部８を有するパンツ形状に形成されている。
【００３７】
なお、液不透過性バックシート２は、着用者の非肌当接面側に配置しているが、本発明においてはこれに限らず、吸収体３とシャーシー５との間、もしくは、シャーシー５が複数のシートから形成される場合においては、それぞれのシートの間に設けてもよい。
【００３８】
ここで、液透過性トップシート１と吸収体３とは、それぞれがホットメルト接着剤により貼り合わされるようにして接合される。また、液透過性トップシート１および吸収体３とシャーシー５とは、それぞれがホットメルト接着剤により貼り合わされるようにして接合される。同様に、シャーシー５と液不透過性バックシート２とは、それぞれがホットメルト接着剤により貼りあわされるようにして接合される。
【００３９】
ホットメルト接着の塗工パターンとしては、例えば、スパイラル塗工、コントロールシーム塗工、コーター塗工、カーテンコーター塗工、サミットガン塗工等が挙げられる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【００４０】
前身頃５１と後身頃５２とは、接合部６において超音波シールにより間欠的に接合される。また、接合部における他の接合方法としては、熱シールおよびホットメルト接着剤等による接合が例示できる。
【００４１】
図１（Ａ）および図２に示すように、使い捨ておむつ本体は、胴周り開口部７の周領域に複数の糸状の弾性部材９が配置される。なお、弾性部材９は、帯状のものであってもよい。また、弾性部材９は、伸縮性不織布（ポリウレタンとポリプロピレンの混合繊維から形成される不織布等）や伸縮フィルム等の伸縮性を有する弾性シートを用いてもよい。
【００４２】
本発明の使い捨ておむつにおいて、シャーシー５は、内層プリーツシート４１と外層プリーツシート４２が弾性部材９を介して積層した外部部材４からなる。図３（Ａ）は、内層プリーツシート４１または外層プリーツシート４２の平面図、図３（Ｂ）は、図３（Ａ）のＸ−Ｘ’線の断面図である。図３（Ｂ）より、内層プリーツシート４１および外層プリーツシート４２は、凹凸パターン形状を有しており、凸部（皺）１２と凹部１３を有する。
【００４３】
ここで、プリーツシートとは、凹凸パターン（アーチ状の皺）を有するシートをいう。また、内層プリーツシート４１は肌当接面側に、外層プリーツシート４２は非肌当接面側に設けられる。なお、内層プリーツシート４１および外層プリーツシート４２のうちいずれか一つ凹凸パターンを有していればよい。
【００４４】
内層プリーツシート４１および外層プリーツシート４２は、詳細は後述するが、賦形ロールにて圧搾することにより得ることができる。賦形ロールにて圧搾した領域１５は、賦形ロールにて賦形された賦形領域１６と、賦形ロールにて賦形されていない平面パターンの溝領域１７とからなる。溝領域１７は、内層プリーツシート４１および外層プリーツシート４２内に少なくとも一つ有していればよく、図３（Ａ）に示したように一定間隔ごとに賦形領域１６と交互に溝領域１７を有するようにしてもよい。
【００４５】
溝領域１７を有することで、伸び止まり域を形成する。このため、常に賦形領域１６に一定間隔ごとに凸部１２および凹部１３を有する細かな凹凸パターンの形成を助長することができる。また、伸張した弾性部材９に接着剤を塗布し、溝領域１７と接合することによって外部部材４を得る。溝領域１７の幅は、使用目的等に応じて適宜変更することができるが、０．５ｍｍ〜３ｃｍであることが好ましく、１〜５ｍｍであることがより好ましい。溝領域１７の幅が０．５ｍｍ未満であると、賦形領域１６の凸部１２がつぶれてしまい、凹凸パターンを形成することができず、弾性部材９と接合しにくくなる。一方、溝領域１７の幅が３ｃｍを超えると、凹凸パターンのない溝領域１７の全体の占める割合が多くなる。
【００４６】
内層プリーツシート４１および外層プリーツシート４２の幅方向の各端部には、端部溝領域１４を有している。端部溝領域１４を介して接合させるようにしてもよい。端部溝領域１４の幅は、使用目的等に応じて適宜変更することができ、５ｍｍ以上であることがより好ましい。なお、必要に応じて、端部溝領域１４を省略してもよい。
【００４７】
弾性部材９を内層プリーツシート４１および外層プリーツシート４２の溝領域１７に接合させる方法は、使用目的等に応じて適宜変更することができるが、内層プリーツシート４１および外層プリーツシート４２自体の収縮を阻害せず均一な襞１１を形成しやすくするため、および接着剤の塗工位置と弾性部材９との位置合わせが不要となる観点から、例えば、Ｖスリット塗工、Ω塗工、コントロールシーム塗工等弾性部材９に対して直接塗工できる塗工方法にて弾性部材９を接合することが好ましい。
【００４８】
細かな凹凸パターンを有する賦形領域１６の幅は、使い捨ておむつ本体やシート部材の使用目的等に応じて適宜変更することができるが、２ｍｍ〜１０ｃｍであることが好ましく、３〜９ｍｍであることがより好ましい。賦形領域１６の幅が２ｍｍ未満であると、凹凸パターンの凸部１２がつぶれてしまい、凹凸パターンの形状を保持することができなくなる。一方、賦形領域１６の幅が１０ｃｍを超えると、内層プリーツシート４１および外層プリーツシート４２が伸びてしまい、凹凸パターンの形状を保持することができなくなる。
【００４９】
賦形領域１６に有する凹凸パターン中の凸部１２の高さは、使い捨ておむつ本体やシート部材の使用目的等に応じて適宜変更することができるが、０．５〜５ｍｍであることが好ましく、１〜３ｍｍであることがより好ましい。凸部１２の高さが０．５ｍｍ未満であると、クッション性が劣り、着用時に違和感を生じる場合がある。一方、凸部１２の高さが５ｍｍを超えると、凸部１２の剛性が高まり過ぎ、着用時に違和感が生じ、かつ、装着時の密着性が弱まる。
【００５０】
凹凸パターンの凸部１２と直近の凸部１２までの間隔（以下、「凸部１２間の間隔」という。）は、使い捨ておむつ本体やシート部材の使用目的等に応じて適宜変更することができるが、０．５〜５ｍｍであることが好ましい。ピッチが０．５ｍｍ未満であると、凸部１２がつぶれてしまい、凹凸パターンの形状を保持することができなくなる。一方、ピッチが５ｍｍを超えると、凹部１３が肌と接触し、クッション性を得ることができない。
【００５１】
内層プリーツシート４１および外層プリーツシート４２に使用する不織布として、使用目的等に応じて適宜変更することができるが、例えば、スパンボンド不織布、メルトブローン不織布、ヒートロール不織布、スパンボンド不織布とメルトブローン不織布とを組み合わせたＳＭＳ不織布、エアースルー不織布、スパンレース不織布、エアーレイド不織布等公知の種々の不織布を使用することができ、これら単独で使用してもよいが、複数組み合わせて使用してもよい。なお、見た目に美しく、感触のよい柔軟な襞を形成させるために、エアースルー不織布、ヒートロール不織布、スパンレース不織布、スパンボンド不織布、メルトブローン不織布を使用することがより好ましい。
【００５２】
内層プリーツシート４１および外層プリーツシート４２に使用する不織布を構成する繊維の材質は、使用目的等に応じて適宜変更することができるが、例えば、ポリエチレン、ポリプロピレン、ポリエステル、アクリル等公知の種々の繊維を使用することができ、これら単独で使用してもよいが、複数組み合わせて使用してもよい。また、内層プリーツシート４１および外層プリーツシート４２との材質が異なっていてもよく、単層構造、多層構造であってもよい。
【００５３】
内層プリーツシート４１および外層プリーツシート４２に使用する不織布の坪量は、５〜５０ｇ／ｍ２であることが好ましく、１０〜２０ｇ／ｍ２であることがより好ましい。不織布の坪量が５ｇ／ｍ２未満であると、地合ムラが激しいため強度が低下している部分が生じ、裂ける可能性がある。一方、不織布の坪量が２０ｇ／ｍ２を超えると、通気性を阻害し、長時間着用すると蒸れる可能性がある。
【００５４】
内層プリーツシート４１および外層プリーツシート４２で使用する不織布の伸度は、４０〜１２０％であることが好ましい。不織布の伸度が４０％未満であると、後述するプリーツシートの製造方法において凹凸パターンを形成する際にちぎれが発生する可能性がある。一方、不織布の伸度が１２０％を越えると後述するプリーツシートの製造方法において圧搾しても伸びるため、凹凸パターンの形状を維持することができなくなる。
【００５５】
図４は、内層プリーツシート４１および外層プリーツシート４２を伸張させた状態の弾性部材９を介して積層させた状態を示した図であり、図５は、内層プリーツシート４１および外層プリーツシート４２を伸張させた状態の弾性部材９を介して積層させ、弾性部材９が収縮した状態を示した図である。
【００５６】
図４より、弾性部材９が収縮した状態であっても、肌当接面側の内層プリーツシート４１および非肌当接面側の外層プリーツシート４２に凹凸パターンが形成されており、着用者の胴周り開口部７との間に間隙が形成され、その間隙が股下域から胴周り開口部７へ向かって縦方向へ連続かつ略直状に延びるので、その内部の湿気を、間隙を介して胴周り開口部７から使い捨ておむつの外部に逃がすことができる。また、この使い捨ておむつでは、着用者の胴周りに当接した凸部１２および襞１１が折れ曲がり難く、それら凸部１２および襞１１がクッションとなるので、凸部１２および襞１１が着用者の肌を局所的に圧迫することはない。
【００５７】
弾性部材９を介して積層させる際、弾性部材９を伸張させた状態で内層プリーツシート４１および外層プリーツシート４２を積層させることが好ましい。弾性部材９を伸張させた状態で各プリーツシートを積層させることにより、図５のように、弾性部材９を収縮させると、弾性部材９、内層プリーツシート４１および外層プリーツシート４２からなる外部部材４は、弾性部材９の湾曲にしたがって襞１１を形成する（襞１１は、図５中、円枠で囲っている箇所である）。襞１１により、着用者への密着性が高まり、クッション性に優れる使い捨ておむつを提供することができる。外部部材４が伸張した状態および収縮した状態であっても、凸部１２の頂点付近で肌当接面と接するため、肌は内層プリーツシート４１単独の剛性による影響のみ受けることとなるので、着用者は違和感なく、クッション性を感じて本発明の使い捨ておむつを使用することができる。
【００５８】
襞１１の高さＨは、外部部材４やシート部材の使用目的等に応じて適宜変更することができるが、１〜６ｍｍであることが好ましい。襞１１の高さＨが１ｍｍ未満であると、クッション性を得ることができない。一方、襞１１の高さＨが６ｍｍを超えると剛性が高くなり、肌への接触感覚が悪くなる。なお、襞１１の高さＨは、弾性部材９の凹部から凸部までの距離を示す。
【００５９】
図４および図５の内層プリーツシート４１および外層プリーツシート４２の凹凸パターンの形状は、共に同一であるが、図６にあるように内層プリーツシート４１および外層プリーツシート４２の凹凸パターンの形状が異なっていてもよい。例えば、図６のように凸部１２の高さが異なる凹凸パターンを有する内層プリーツシート４１および外層プリーツシート４２を伸張した状態の弾性部材９を介して積層させた外部部材４を使用することもできる。このような外部部材４において、弾性部材９が収縮した場合、凸部１２の高さが小さいほうに湾曲を描くように襞１１が形成される。このような外部部材４を例えば胴周り開口部７に使用すると、より着用者の体に沿う使い捨ておむつを提供することができる。なお、この外部部材４を使用する場合、内層プリーツシート４１（肌当接面側）の凸部１２の高さが、外層プリーツシート４２（非肌当接面側）の凸部１２の高さより小さくなるように接合することが好ましい。
【００６０】
また、図７に示したように、内層プリーツシート４１および外層プリーツシート４２の凹凸パターンの凸部１２間の間隔が異なっていてもよい。図７のように凹凸パターンの凸部１２間の間隔が短い内層プリーツシート４１と凹凸パターンの凸部１２間の間隔が長い外層プリーツシート４２を伸張した状態の弾性部材９を介して積層させた外部部材４を使用することもできる。このような外部部材４において、弾性部材９が収縮した場合、凹凸パターンの凸部１２間の間隔が小さいほうに湾曲を描くように襞１１が形成される。このような外部部材４を使用すると、肌当接面側では、細かい襞によって肌との接触面積を減らして、違和感の低減効果を向上させることができ、非肌当接面側では、長い凸部１２間の間隔により弾性部材９の収縮と連動して賦形された領域で収縮するようになり、肌当接面側は柔軟であり、非肌当接面側は襞１１が規則正しく配列し、美感に優れる使い捨ておむつを提供することができる。
【００６１】
弾性部材９の形態は、特に限定されず、使用目的等に応じて適宜変更することができるが、例えば、帯状、シート状、ネット状および糸状等の形態があげられ、これら単独の形態で使い捨ておむつ本体を構成するようにしてもよいが、複数の形態で使い捨ておむつ本体を構成するようにしてもよい。
【００６２】
弾性部材９を介入させるピッチ（間隔）は、使い捨ておむつ本体やシート部材の使用目的等に応じて適宜変更することができるが、１ｍｍ〜３０ｍｍであることが好ましく、３〜９ｍｍであることがより好ましい。ピッチが１ｍｍ未満であると、線圧が上がり、着用者にゴム跡を与えてしまう。一方、ピッチが３０ｍｍを超えると、弾性部材９の影響を与えることができなくなり、着用者への面圧が低くなり、使い捨ておむつがずれてしまう。なお、弾性部材９は、上述したように溝領域１７に介入させることが好ましい。したがって、弾性部材９を介入させるピッチと賦形領域１６の幅は同一であることが好ましい。
【００６３】
弾性部材９の太さは、使い捨ておむつ本体やシート部材の使用目的等に応じて適宜変更することができるが、３１０〜１４４０デニールであることが好ましく、４２０〜９４０デニールであることがより好ましい。弾性部材９の太さが３１０デニール未満であると、応力を発生させるために倍率をあげるために、弾性部材９の本数を増やす必要が生じる。このため、線圧が上がり着用者にゴム跡を与えてしまう。一方、弾性部材９の太さが１４４０デニールを超えると、線圧が上がり過ぎ、着用者にゴム跡を与えてしまう。
【００６４】
弾性部材９の材質は、使用目的等に応じて適宜変更することができるが、例えば、スチレン−ブタジエン、ブタジエン、イソプレン、ネオプレン等の合成ゴム、天然ゴム、ＥＶＡ、ＳＩＳ、ＳＥＢＳ、ＳＥＰＳ、伸縮性ポリオレフィン、ポリウレタン等公知の種々の材質を使用することができ、これらは単独で使用してもよいが、複数組み合わせて使用してもよい。
【００６５】
弾性部材９の伸張倍率は、使い捨ておむつ本体やシート部材の使用目的等に応じて適宜変更することができるが、１．５〜５倍であることが好ましく、１．８〜３．５倍であることがより好ましい。伸張倍率が１．５倍未満であると、内層プリーツシート４１および外層プリーツシート４２を弾性部材９が伸張した状態で積層させても、外部部材４に襞１２を形成することができなくなる。一方、伸張倍率が５倍を超えると、襞１２の剛性が高くなり、着用者の肌への密着性が悪く、当接触感が硬くなり肌触りが悪くなる。
【００６６】
本実施形態の使い捨ておむつによれば、共に凹凸パターンが形成されている内層プリーツシートおよび外層プリーツシートを、伸張した状態の弾性部材に積層させることにより、弾性部材が収縮した場合に多数の襞が生じる。これにより、外部部材が伸張した状態および収縮した状態のいずれの場合であっても、凹凸パターンの凸部で着用者の肌と接するため、着用者の肌は、外部部材単独の剛性による影響のみを受けることとなり、着用者への密着性が高まり、違和感のない、クッション性に優れる使い捨ておむつを提供することができるようになった。また、多数の凹凸パターンおよび襞を有するため、着用者と使い捨ておむつとの隙間を減らすことができ、排泄物等の漏れを防ぐことができるようになった。さらに、多数の凹凸パターンおよび襞１１を有するため、表面積が多くなり、断熱性が向上するようになった。
【００６７】
さらに、弾性部材９を収縮させると、襞１１が複数形成されるが、この襞１１は、弾性部材９を介して上部の襞１１と下部の襞１１と互い違いの場合がある。このとき、肌当接面側の圧力が均一化する場合があり、肌触りがよりよくなる場合もある。
【００６８】
［シート部材］
上述したような少なくとも一つのプリーツシート（内層プリーツシート４１または外層プリーツシート４２）を伸張した状態の弾性部材９を介して積層させた外部部材４は、使い捨ておむつ以外にシート部材として使用することができる。このようなシート部材は、当接感触がよく、クッション性に優れることから、例えば、使い捨ておむつ、生理用品等に使用することができる。
【００６９】
ここで、本発明のシート部材および外部部材４の柔らかさは、曲げ硬さや曲げ回復率で表現することができる。本発明の曲げ硬さは、０．０２〜０．０４×［１０Ｎ・ｍ２／ｍ］Ｋであることが好ましく、曲げ回復率は、０．０２〜０．０５［１０Ｎ・ｍ２／ｍ］Ｋであることが好ましい。
【００７０】
上述した外部部材を使い捨ておむつ以外に使用することにより、クッション性に優れるシート部材を提供することができるようになった。
【００７１】
［プリーツシートの製造方法］
図８は、プリーツシートの製造方法の一例を示した図である。なお、説明の便宜上、内層プリーツシート４１を製造する場合について説明するが、外層プリーツシート４２も同様に製造することができ、本発明を限定するものではない。
【００７２】
図８に示したような賦形ロール１８でシート１０を圧搾することにより、内層プリーツシート４１を製造することができる。賦形ロール１８には、一定の大きさの歯を複数有する歯付領域１８１と、平面の溝付領域１８２とを有し、歯付領域１８１と溝付領域１８２は、賦形ロール１８内に交互に設置されている。凹凸パターンが形成されていない内層プリーツシート４１（シート１０）を一対の賦形ロール１８内を通過させ、かつ、賦形ロール１８を回転させると、歯付領域１８１で圧搾された箇所は、歯の間隔ごとに凹凸パターンを有する賦形領域１６が形成される。また、溝付領域１８２からは溝領域１７が形成される。歯付領域１８１および溝付領域１８２の幅等は、賦形領域１６および溝領域１７の幅等が上述したような範囲内になるように設置する。
【００７３】
賦形ロール１８は、歯付領域１８１以外に熱が伝わらないように溝付領域１８２に断熱テープ等の断熱材で覆われている。熱を内層プリーツシート４１の賦形領域１６のみに与えることにより、熱により内層プリーツシート４１の損傷を抑えることができ、内層プリーツシート４１の幅入り、よれ等の変形を防止することができる。
【００７４】
本実施形態のプリーツシートの製造方法によれば、資材の幅入り、よれ等の変形を防止することができ、凹凸パターンを形成されているプリーツシートを効率よく製造することができるようになった。
【実施例】
【００７５】
以下、本発明の実施例を説明するが、これら実施例は、本発明を好適に説明するための例示に過ぎず、なんら本発明を限定するものではない。
【００７６】
［外部部材４の作製］
ポリプロピレンスパンボンド（ＰＰＳＢ）を１９ｇ／ｍ２とＳＭＳ不織布１５ｇ／ｍ２に対して凸部１２の高さが１ｍｍとなり、凹凸パターンのピッチが１．３ｍｍ、賦形領域１６の幅が１０ｍｍ、溝領域の幅が５ｍｍおよび端部溝領域１４の各幅が５ｍｍとなるように賦形ロール１８で圧搾し、プリーツシートを得た。
【００７７】
その後、通常の収縮時より２倍に伸張させた状態で、６２０デニールの弾性部材９を介して予め作製したプリーツシートの溝領域１７に積層させ、外部部材４を作製した。なお、弾性部材９のピッチは５ｍｍであった（以下、試料１という。）。
【００７８】
［曲げ特性試験］
不織布の曲げ特性試験機（ＫＥＳ  ＦＢ−２  カトーテック（株）社製）に、１００ｍｍ×１００ｍｍの試料１をＭＤ方向と垂直に曲がるように試料１をセットし、曲げ剛さとヒステリシスを測定するＫＥＳ試験を行った。なお、ＣＤ方向も同様に測定した。
【００７９】
試料１との比較例として、比較例１および比較例２も同様に曲げ剛さとヒステリシス（曲げ回復率）を測定した。なお、比較例１は、ＰＰＳＢを１９ｇ／ｍ２とＳＭＳ不織布１５ｇ／ｍ２と、通常の収縮時より２倍に伸張させた状態で６２０デニールの弾性部材９を接合させ、さらにエンボス加工処理を行ったことにより作製した。また、比較例２は、ＰＰＳＢを１９ｇ／ｍ２とＳＭＳ不織布１５ｇ／ｍ２と、通常の収縮時より２倍に伸張させた状態で、６２０デニールの弾性部材９と接合させることにより作製した。
【００８０】
以下、表１にＫＥＳ試験の結果を示す。
【表１】
2008029836.tif 000003
【００８１】
表１より、曲げ剛さは、試料１が最も小さい値を示し、比較例１および比較例２と比較して柔らかいことがわかる。また、ヒステリシスも同様に試料１が最も小さい値を示し、比較例１および比較例２と比較して回復率がよいことがわかる。これにより、試料１は、クッション性に優れていることがわかる。
【００８２】
［官能性試験］
試料１と比較例１および比較例２とを試験者に触ってもらい、それぞれの絶対評価を行った。以下、官能性試験の結果を表２に示す。
【表２】
2008029836.tif 000004
【００８３】
表２からわかるように、試料１は、比較例１および比較例２と比べて柔らかいという評価を得た。したがって、試料１は、比較例１と比べて触り心地がよく、クッション性に優れていることがわかる。
【図面の簡単な説明】
【００８４】
【図１】（Ａ）本発明の使い捨ておむつの正面図、（Ｂ）前身頃の部分拡大図である。
【図２】本発明の使い捨ておむつの斜視図である。
【図３】（Ａ）プリーツシートの平面図、（Ｂ）Ｘ−Ｘ’線の断面図である。
【図４】弾性部材が伸張している状態の積層構造を示した図である。
【図５】弾性部材が収縮している状態の積層構造を示した図である。
【図６】凸部の高さが異なるプリーツシートを積層させた場合の積層構造を示した図である。
【図７】凹凸パターンの周期が異なるプリーツシートを積層させた場合の積層構造を示した図である。
【図８】本発明のプリーツシートの製造方法の一例を示した図である。
【符号の説明】
【００８５】
１      液透過性トップシート
２      液不透過性バックシート
３      吸収体
４      外部部材
４１    内層プリーツシート（内層シート）
４２    外層プリーツシート（外層シート）
５      シャーシー
５１    前身頃
５２    後身頃
５３    股下部
６      接合部
７      腰周り開口部
８      脚周り開口部
９      弾性部材
１０    シート
１１    襞
１２    皺（凸部）
１３    凹部
１４    端部溝領域
１５    圧搾した領域
１６    賦形領域
１７    溝領域
１８    賦形ロール
１８１    歯付領域
１８２    溝付領域
【図１】
2008029836.tif 000005
【図２】
2008029836.tif 000006
【図３】
2008029836.tif 000007
【図４】
2008029836.tif 000008
【図５】
2008029836.tif 000009
【図６】
2008029836.tif 000010
【図７】
2008029836.tif 000011
【図８】
2008029836.tif 000012